(57)【特許請求の範囲】
【請求項１】
プレーヤ送信制御部を有してデータを再生するプレーヤからのデジタルの再生信号を受信してデータ処理するレシーバ送受信制御部を有するデータ処理装置であって、
前記プレーヤが接続され、前記再生信号の受信を開始する場合において、受信した前記再生信号の受信状態が不安定な場合又は受信した前記再生信号が所定の形式に一致しない場合に、前記レシーバ送受信制御部は、前記プレーヤの前記プレーヤ送信制御部に対し、前記プレーヤにおける電源をオフした後に前記電源を再度オンさせる指令を与えることを特徴とするデータ処理装置。
【請求項２】
プレーヤ送信制御部を有してデータを再生するプレーヤからのデジタルの再生信号を受信してデータ処理するレシーバ送受信制御部を有するデータ処理装置であって、
前記プレーヤが接続され、前記再生信号の受信を開始する場合において、受信した前記再生信号の受信状態が不安定な場合又は受信した前記再生信号が所定の形式に一致しない場合に、前記レシーバ送受信制御部は、前記プレーヤの前記プレーヤ送信制御部に対し、前記プレーヤにおける再生を一旦ストップし、その後に再生をスタートする指令を与え、
この指令を与えたにもかかわらず、受信した前記再生信号の受信状態が不安定な場合又は受信した前記再生信号が所定の形式に一致しない場合に、前記レシーバ送受信制御部は、前記プレーヤの前記プレーヤ送信制御部に対し、前記プレーヤにおける電源をオフした後に前記電源を再度オンさせる指令を与えることを特徴とするデータ処理装置。
【請求項３】
請求項１または請求項２に記載のデータ処理装置において、
前記レシーバ送受信制御部は、前記プレーヤからの再生信号の受信をしない状態とした上で、前記再生信号に基づく表示をする表示部を有するディスプレイ装置に対し、警告メッセージを前記表示部の画面上に出力させるための映像信号を与えることを特徴とするデータ処理装置。
【請求項４】
請求項３に記載のデータ処理装置において、
前記再生信号は、ＨＤＭＩ（登録商標）規格に準拠しており、前記指令または前記警告メッセージを前記表示部の前記画面上に出力させるための映像信号は、ＨＤＭＩ（登録商標）−ＣＥＣ規格に準拠していることを特徴とするデータ処理装置。
【発明の詳細な説明】
【技術分野】
【０００１】
本発明は、データ処理装置に関する。
【背景技術】
【０００２】
従来、映像及び音声をデジタル信号で伝送する通信インターフェースの標準規格としてＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格が知られており、これに準拠したプレーヤ、例えばＢＤ（Ｂｌｕ−ｒａｙ（登録商標）  Ｄｉｓｃ）プレーヤや、ディスプレイ装置（テレビ）などが広く普及している。また、プレーヤにより得られた映像音声信号を処理するＡＶレシーバを独立して設け、プレーヤからの再生信号を処理した後、ディスプレイ装置に供給するＡＶシステムも利用されている。ＡＶレシーバは、プレーヤから出力される映像及び音声信号を受け取り、例えばホームシアター用に加工してディスプレイ装置等に供給する。
【０００３】
例えば、特許文献１には、光ディスク装置などの再生装置からの再生信号（画像データ及び音声データ）をテレビジョンに供給し再生するシステムであって、ＨＤＭＩ（登録商標）規格に準拠したインターフェースを利用するものが開示されている。このシステムでは、ユーザによって再生が指示されると、光ディスク装置において設定した形式で画像データと音声データの出力を開始する。テレビジョンは、光ディスク装置からの受信信号の形式が変化した場合に、その受信形式を光ディスク装置に送信する。光ディスク装置は、テレビジョンから送られてきた受信形式についてのデータに基づきデータ形式が変化してしまったと認識した場合に、コンテンツデータの出力を停止して、所定時間経過後にコンテンツデータの出力を再開させるリカバリ処理を実施する。
【先行技術文献】
【特許文献】
【０００４】
【特許文献１】特開２０１０−１６１５２９号公報
【発明の概要】
【発明が解決しようとする課題】
【０００５】
ここで、ＨＤＭＩ（登録商標）規格に対応した機器が接続されると、最初に機器間でＨＤＣＰ(Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ)認証が行われる。例えば、プレーヤとＡＶレシーバが接続された場合において、プレーヤからＡＶレシーバに対してＨＤＣＰ認証が行われる。そして、プレーヤにおいてＨＤＣＰ認証に失敗した場合には、一旦映像音声信号の出力を停止し、その後映像音声信号の出力を開始し、ＨＤＣＰ認証をやり直す。
【０００６】
プレーヤにおいて安定して信号を出力することができない状態であると、映像音声信号の出力停止、再開の処理が繰り返され、テレビには映像音声信号が供給されない。また、プレーヤにおいて、テレビで再生できる形式と異なる映像音声信号を出力している場合には、ＡＶレシーバはテレビにその映像音声信号を送信するか、または映像音声信号の出力を停止するが、いずれの場合でもテレビにおいて映像音声が再生されない状態となる。なお、特許文献１では、もともとは適切に映像音声信号がテレビに供給されていた状態から変化した場合についての処理であり、機器の接続時のエラーに対応するものではない。
【０００７】
本発明の目的は、映像音声信号を伝送できない状態を解消できるデータ処理装置を提供することである。
【課題を解決するための手段】
【０００９】
また、本発明に係るデータ処理装置は、プレーヤ送信制御部を有してデータを再生するプレーヤからのデジタルの再生信号を受信してデータ処理するレシーバ送受信制御部を有するデータ処理装置であって、前記プレーヤが接続され前記再生信号の受信を開始する場合において、受信した前記再生信号の受信状態が不安定な場合又は受信した前記再生信号が所定の形式に一致しない場合に、前記レシーバ送受信制御部は、前記プレーヤの前記プレーヤ送信制御部に対し、前記プレーヤにおける電源をオフした後に前記電源を再度オンさせる指令を与えることを特徴とする。
【００１０】
また、本発明に係るデータ処理装置は、プレーヤ送信制御部を有してデータを再生するプレーヤからのデジタルの再生信号を受信してデータ処理するレシーバ送受信制御部を有するデータ処理装置であって、前記プレーヤが接続され前記再生信号の受信を開始する場合において、受信した前記再生信号の受信状態が不安定な場合又は受信した前記再生信号が所定の形式に一致しない場合に、前記レシーバ送受信制御部は、前記プレーヤの前記プレーヤ送信制御部に対し、前記プレーヤにおける再生を一旦ストップし、その後に再生をスタートする指令を与え、この指令を与えたにもかかわらず、受信した前記再生信号の受信状態が不安定な場合又は受信した前記再生信号が所定の形式に一致しない場合に、前記レシーバ送受信制御部は、前記プレーヤの前記プレーヤ送信制御部に対し、プレーヤにおける電源をオフした後に前記電源を再度オンさせる指令を与えることを特徴とする。
【００１１】
また、本発明に係るデータ処理装置において、前記レシーバ送受信制御部は、前記プレーヤからの再生信号の受信をしない状態とした上で、前記再生信号に基づく表示をする表示部を有するディスプレイ装置に対し、警告メッセージを前記表示部の画面上に出力させるための映像信号を与えることが好ましい。
【００１２】
また、本発明に係るデータ処理装置において、前記再生信号は、ＨＤＭＩ（登録商標）規格に準拠しており、前記指令または前記警告メッセージを前記表示部の前記画面上に出力させるための前記映像信号は、ＨＤＭＩ（登録商標）−ＣＥＣ規格に準拠していることが好ましい。
【発明の効果】
【００１３】
上記構成によれば、データ処理装置にプレーヤが接続された場合において、プレーヤからの再生信号が不安定な状態の場合又は所定の形式に一致しない場合に、再生機能を再起動したり、電源を一旦オフする指令が与えられる。これにより、不具合を解消することができる。
【図面の簡単な説明】
【００１４】
【図１】本発明に係る実施形態のデータ処理装置を含むデータ送受信システムの全体構成を示すブロック図である。
【図２】本発明に係る実施形態において、ＴＭＤＳ信号が不安定な状態でＨＤＣＰ認証がＮＧとなっていることを検出するための手順を示すフローチャートである。
【図３】本発明に係る実施形態において、ＴＭＤＳデータの映像信号がＥＤＩＤと一致していない場合を検出するための手順を示すフローチャートである。
【図４】本発明に係る実施形態において、ＴＭＤＳデータの音声信号がＥＤＩＤと一致していない場合を検出するための手順を示すフローチャートである。
【図５】本発明に係る実施形態において、図２〜図４に示された手順によって、伝送上の不具合の対策処理を行うべきと判断された場合に最初に実行する処理である。
【図６】本発明に係る実施形態において、図５の処理を行った場合にも関わらず、図２〜図４に示された手順によって伝送上の不具合の対策処理を行うべきと判断された場合に実行する処理である。
【図７】本発明に係る実施形態において、図６の処理を行った場合にも関わらず、図２〜図４に示された手順によって伝送上の不具合の対策処理を行うべきと判断された場合に実行する処理である。
【発明を実施するための形態】
【００１５】
以下に図面を用いて本発明に係る実施の形態につき、詳細に説明する。また、以下では、全ての図面において対応する要素には同一の符号を付し、重複する説明を省略する。
【００１６】
［全体構成］
図１は、本発明に係る実施形態のＡＶレシーバ（データ処理装置）１０を含むデータ送受信システム８の全体構成を示すブロック図である。なお、ＡＶレシーバ１０を出力装置であるディスプレイ装置３０に内蔵してもよい。このように、データ送受信システム８は、プレーヤ２０、ＡＶレシーバ１０、及びディスプレイ装置３０を含む。プレーヤ２０は、各種メディアに記録されているＡＶデータ（映像データ及び音声データ）を再生し、再生信号として出力する。ＡＶレシーバ１０は、プレーヤ２０から供給された映像データ及び音声データに各種処理を行い、例えばホームシアターにおける出力に適した信号に変換してディスプレイ装置３０へ送信する。ディスプレイ装置３０は、ＡＶレシーバ１０から送信された映像データ及び音声データを受信し、これに基づいた映像、音声を出力する。プレーヤ２０はコネクタ２１を介してＡＶレシーバ１０のコネクタ（入力端子）１１に接続され、ディスプレイ装置３０はコネクタ３１を介してＡＶレシーバ１０のコネクタ（出力端子）１４に接続されている。
【００１７】
［プレーヤ２０の構成］
プレーヤ２０は、ＨＤＭＩ（登録商標）規格に準拠した機器であり、コネクタ２１と、再生部２２と、プレーヤ送信制御部２３と、接続確認用電源部２４ｂとを備えている。プレーヤ２０は、基本的にＣＤ、ＤＶＤ、ＢＤ、固体メモリ、ハードディスクなどのメディアから映像音声信号を再生して再生信号を出力する再生装置であり、再生部２２がメディアに記録されている信号を読み取り出力する機能を有する。また、コネクタ２１にはＨＤＭＩ（登録商標）ケーブルを介して、ＡＶレシーバ１０が接続される。なお、特に、ＡＶレシーバ１０の機能がディスプレイ装置３０に内蔵される場合には、コネクタ２１がＨＤＭＩ（登録商標）ケーブルを介してディスプレイ装置３０に直接接続されてもよい。
【００１８】
プレーヤ２０は、ＨＤＭＩ（登録商標）のラインとして、ホットプラグライン２５と、ＤＤＣライン２６と、ＴＭＤＳライン２７と、接続確認電圧用ライン２８とを備えている。ここで、ＴＭＤＳは、Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇの略であり、ＴＭＤＳとは、ディスプレイとビデオカードとの間でデジタル映像信号を伝送するために利用される伝送方式のうち、グラフィックス関連機器の業界団体であるＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）によって標準化された方式のことである。
【００１９】
再生部２２は、プレーヤ送信制御部２３の制御により、ＢＤディスク（以下、単にディスクという。）等のメディアに記録されている映像データ及び音声データを読み出して、プレーヤ送信制御部２３に供給する。
【００２０】
プレーヤ送信制御部２３は、ＡＶレシーバ１０がＨＤＭＩ（登録商標）規格に準拠した機器であるか否かを調査するためのＨＤＣＰ認証を行う。すなわち、自己のＨＤＣＰ情報を、ＤＤＣライン１６ａを介してＡＶレシーバ１０に提供し、ＡＶレシーバ１０からのレスポンス情報に応じて認証を行う。この認証がＯＫであれば、プレーヤ送信制御部２３は、再生部２２から供給された映像データ及び音声データに基づくＴＭＤＳデータ信号をＡＶレシーバ１０に送信し続ける。上記認証がＮＧであれば、所定の時間経過後に再びＨＤＣＰ認証情報をＡＶレシーバ１０に提供する。
【００２１】
プレーヤ送信制御部２３は、ＨＤＭＩ（登録商標）ケーブルがコネクタ２１に接続されると、接続確認電圧用ライン２８に接続確認用電圧が供給されるように接続確認用電源部２４ｂを作動させる。また、プレーヤ送信制御部２３は、ＡＶレシーバ１０からのホットプラグ出力信号がローレベルからハイレベルへ遷移したことを検知した場合に、再生部２２を作動させるように制御する。
【００２２】
また、プレーヤ送信制御部２３は、ＡＶレシーバ１０からの再生の停止及び再起動について指令を受け取った場合に、再生部２２による再生動作を停止させ、その後再生機能を再起動して、プレーヤ送信制御部２３へのデータ送信を再開する。さらに、プレーヤ送信制御部２３は、ＡＶレシーバ１０からの電源オフ及びオンを行う再起動指令を受け取った場合に、主電源部２４ａをオフにした後に、主電源部２４ａを再度オンにしてＨＤＣＰ認証、及びディスプレイ装置３０の受信能力（対応解像度、対応音声フォーマット等）を示すＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の取得等といった初期処理を再度実行する。このようなＡＶレシーバ１０からのプレーヤ２０の動作指令は、ＨＤＭＩ（登録商標）−ＣＥＣ（ＨＤＭＩ（登録商標）−Ｃｏｎｓｕｍｅｒ  Ｅｌｅｃｔｒｏｎｉｃ  Ｃｏｎｔｒｏｌ）規格に基づいた指令である。
【００２３】
主電源部（電源）２４ａには、図示しない商用交流電源が供給されており、プレーヤ２０の各構成要素に必要な電力（例えば、直流電力）を供給する。接続確認用電源部２４ｂは、５Ｖの定電圧を生成し、これをプレーヤ送信制御部２３に供給する。プレーヤ送信制御部２３は、接続確認用電源部２４ｂからの５Ｖを接続確認電圧用ライン２８に接続確認用電圧として供給する。
【００２４】
［ＡＶレシーバ１０の構成］
ＡＶレシーバ１０は、ＨＤＭＩ（登録商標）規格に準拠した機器であり、プレーヤ２０からのＨＤＭＩ（登録商標）に準拠したデータ（ＨＤＭＩ（登録商標）データ）を受け取り、これに各種処理を施し、ディスプレイ装置３０へＨＤＭＩ（登録商標）データを送信するデータ処理装置である。ＡＶレシーバ１０は、コネクタ１１，１４と、レシーバ送受信制御部１２と、接続確認用電源部１３とを備えている。
【００２５】
ＡＶレシーバ１０は、ＨＤＭＩ（登録商標）のラインとして、ホットプラグライン１５ａ，１５ｂ、ＤＤＣ（Ｄｉｓｐｌａｙ  Ｄａｔａ  Ｃｈａｎｎｅｌ）ライン１６ａ，１６ｂ、ＴＭＤＳライン１７ａ，１７ｂ、及び、接続確認電圧用ライン１８ａ，１８ｂを有する。
【００２６】
ホットプラグライン１５ａ，１５ｂは、それぞれ、ＨＤＭＩ（登録商標）ケーブルのホットプラグラインを介して、プレーヤ２０のホットプラグライン２５及びディスプレイ装置３０のホットプラグライン３５に接続可能である。ＤＤＣライン１６ａ，１６ｂは、それぞれ、ＨＤＭＩ（登録商標）ケーブルのＤＤＣラインを介して、プレーヤ２０のＤＤＣライン２６及びディスプレイ装置３０のＤＤＣライン３６に接続可能である。ＴＭＤＳライン１７ａ，１７ｂは、それぞれ、ＨＤＭＩ（登録商標）ケーブルのＴＭＤＳラインを介して、プレーヤ２０のＴＭＤＳライン２７及びディスプレイ装置３０のＴＭＤＳライン３７に接続可能である。接続確認電圧用ライン１８ａ，１８ｂは、それぞれ、ＨＤＭＩ（登録商標）ケーブルの接続確認電圧用ラインを介して、プレーヤ２０の接続確認電圧用ライン２８及びディスプレイ装置３０の接続確認電圧用ライン３８に接続可能である。
【００２７】
ホットプラグライン１５ａは、ＡＶレシーバ１０からプレーヤ２０へのホットプラグ出力信号（接続確認信号）を送信するラインである。ホットプラグライン１５ｂは、ディスプレイ装置３０からＡＶレシーバ１０へのホットプラグ出力信号（接続確認信号）を受信するラインである。
【００２８】
ＤＤＣライン１６ａは、ＡＶレシーバ１０及びディスプレイ装置３０に関する装置情報であるＤＤＣ信号（ＨＤＣＰ認証情報、ＥＤＩＤ情報）を送受信するラインである。ＤＤＣライン１６ｂは、ディスプレイ装置３０に関するＤＤＣ信号（ＨＤＣＰ認証情報、ＥＤＩＤ情報）を送受信するラインである。なお、ＤＤＣラインは、通常、データラインとクロックラインとが存在するが、説明の簡単化のために１つのラインのみを記載する。
【００２９】
ＴＭＤＳライン１７ａは、プレーヤ２０から供給されるＴＭＤＳデータ信号を受け取るラインである。ＴＭＤＳライン１７ｂは、ディスプレイ装置３０にＴＭＤＳデータ信号を送信するラインである。なお、ＴＭＤＳラインは、通常、複数のラインが存在するが、説明の簡単化のために１つのラインのみを記載する。
【００３０】
接続確認電圧用ライン１８ａは、プレーヤ２０から供給される接続確認用電圧を受け取るラインである。接続確認電圧用ライン１８ｂは、接続確認用電源部１３から受け取った接続確認用電圧をディスプレイ装置３０に供給するラインである。
【００３１】
レシーバ送受信制御部１２は、ディスプレイ装置３０がＨＤＭＩ（登録商標）規格に準拠した機器であるか否かを調査するためのＨＤＣＰ認証情報を、ＤＤＣライン１６ｂを介してディスプレイ装置３０に提供し、ディスプレイ装置３０からのレスポンス情報に応じて認証を行う。この認証がＯＫであれば、レシーバ送受信制御部１２は、プレーヤ２０から受け取ったＴＭＤＳデータをディスプレイ装置３０へ送信する。上記認証がＮＧであれば、所定の時間の経過後に再びＨＤＣＰ認証情報をディスプレイ装置３０に提供する。このように、ＨＤＭＩ（登録商標）認証は上流側の装置において行われる。
【００３２】
レシーバ送受信制御部１２は、プレーヤ２０からのＴＭＤＳ信号が不安定な状態の場合又はＴＭＤＳデータ信号がＥＤＩＤ情報に一致しない場合に、プレーヤ２０に再生機能の再起動の指令を与える。このような指令はＨＤＭＩ（登録商標）−ＣＥＣ規格に準拠した指令である。なお、ＴＭＤＳ信号が不安定な状態とは、ＨＤＭＩ（登録商標）認証が不調に終わるなどして、プレーヤ２０がＴＭＤＳデータ信号の送信を一旦停止し、その後再度送信を開始するなど、ＴＭＤＳデータ信号の受信が不安定な状態をいう。また、このような状態は、プレーヤ２０が出力する信号がＥＤＩＤ情報に一致しない場合も含む。このような状態を以下では「伝送上の不具合」と呼び、この伝送上の不具合の識別方法やその対処については後述する。
【００３３】
レシーバ送受信制御部１２は、上述したプレーヤの再生機能の再起動についての指令を与えたにもかかわらず、伝送上の不具合が解消しない場合に、プレーヤ２０の主電源部２４ａをオフした後に主電源部２４ａを再度オンさせ直すための再起動指令を与える。さらに、レシーバ送受信制御部１２は、この再起動指令をさせた後にも上記不具合が解消しない場合は、ディスプレイ装置３０の画面上で警告メッセージを出力させるための警告表示映像信号をディスプレイ装置３０に与える。そして、このような警告メッセージに応じてユーザが所定の操作を行い、不具合が解消されたと推測される場合には通常動作に戻る。
【００３４】
［ディスプレイ装置３０の構成］
ディスプレイ装置３０は、ＨＤＭＩ（登録商標）規格に準拠した機器であり、ＡＶレシーバ１０からのＨＤＭＩ（登録商標）データを受信し、映像音声を再生する装置である。ディスプレイ装置３０は、コネクタ３１と、ディスプレイ受信制御部３２と、表示部３３と、音声処理部３４とを備えている。コネクタ３１はＨＤＭＩ（登録商標）ケーブルを介して、ＡＶレシーバ１０が接続される。なお、コネクタ３１にはＨＤＭＩ（登録商標）ケーブルを介して、プレーヤ２０が直接接続されてもよい。また、ここでは、ディスプレイ装置３０は、上記所定の仕様品であるものとして説明する。
【００３５】
ディスプレイ装置３０は、ＨＤＭＩ（登録商標）のラインとして、ホットプラグライン３５と、ＤＤＣライン３６と、ＴＭＤＳライン３７と、接続確認電圧用ライン３８とを備えている。
【００３６】
ディスプレイ受信制御部３２は、出力処理部３２２と、ホットプラグＨＬ処理部３２４とを備える。出力処理部３２２は、ＡＶレシーバ１０から供給されたＴＭＤＳデータ信号を受信する。出力処理部３２２は、受信したＴＭＤＳデータ信号から元の映像データを生成して、表示部３３に供給する。出力処理部３２２は、受信したＴＭＤＳデータ信号から元の音声データを生成して、音声処理部３４に供給する。また、出力処理部３２２は、ＡＶレシーバ１０からの警告表示映像信号を受け取った場合に、表示部３３に供給して警告メッセージを表示部３３に表示する。
【００３７】
ホットプラグＨＬ処理部３２４は、ＡＶレシーバ１０からの接続確認用電圧の供給が有ると、ＡＶレシーバ１０に対して出力されるホットプラグ出力信号をハイレベルとする。  
【００３８】
表示部３３は、供給された映像データを表示するものであり、ＬＣＤやＰＤＰ等である。音声処理部３４は、供給された音声データを、デコード処理、Ｄ／Ａ変換処理、増幅処理し、図示しないスピーカーに供給する。従って、ＬＣＤなどから映像が出力され、音声スピーカーから音声が出力される。
【００３９】
続いて、上記構成のデータ送受信システム８の動作について説明する。図２は、ＴＭＤＳ信号が不安定な状態でＨＤＣＰ認証がＮＧとなっていることを検出するための手順を示すフローチャートである。最初に、ＡＶレシーバ１０において、プレーヤ２０から供給される接続確認用電圧（５Ｖ）を受け取ったか否かを判断する（Ｓ２）。Ｓ２の工程でＮＯの場合、ＥＮＤ処理へと進む。
【００４０】
Ｓ２の工程でＹＥＳの場合、ディスプレイ装置３０からのホットプラグ出力信号がＨであれば、プレーヤ２０へのホットプラグ出力信号をＬからＨへと変化させる（Ｓ４）。これによって、プレーヤ２０は、ＡＶレシーバ１０との接続を認識し、ＴＭＤＳデータの送信を行う。そこで、ＡＶレシーバ１０は、その後、プレーヤ２０からのＴＭＤＳデータを受信したか否かが判断される（Ｓ６）。Ｓ６の工程でＮＯと判断された場合、所定の時間を経過させた後、再びＳ６の工程へと戻る。
【００４１】
Ｓ６の工程でＹＥＳと判断された場合、プレーヤ２０からのＨＤＣＰ認証が開始されたか否かを判断する（Ｓ８）。プレーヤ２０は、ＨＤＭＩ（登録商標）認証を開始した場合に、その情報をＡＶレシーバ１０に供給するので、その情報によってＳ８の判断が行える。Ｓ８の工程でＮＯと判断された場合、所定の時間を経過させた後、再びＳ８の工程へと戻る。
【００４２】
Ｓ８の工程でＹＥＳと判断された場合、プレーヤ２０からのＴＭＤＳデータが継続して受信しているか否かが判断される（Ｓ１０）。Ｓ１０の工程でＹＥＳと判断された場合、正常にＴＭＤＳデータを受信できているので、ＥＮＤ処理へと進む。
【００４３】
Ｓ１０の工程でＮＯの場合は、ＨＤＣＰ認証が失敗している可能性があるとして、カウンタをカウントアップし（Ｓ１２）、カウント値が所定の閾値を超えているか否かを判断する（Ｓ１４）。Ｓ１４の工程においてＮＯの場合、Ｓ６に戻り上述の判断を繰り返し、Ｓ１４でＹＥＳと判断されれば、ＨＤＣＰ認証が失敗しているとして、後述する不具合の対策処理を実行する。
【００４４】
図３は、ＴＭＤＳデータの映像信号がＥＤＩＤ情報と一致していない場合を検出するための手順を示すフローチャートである。最初に、プレーヤ２０からのＴＭＤＳデータを受信しているか否かが判断される（Ｓ２０）。Ｓ２０の工程でＮＯと判断されれば、プレーヤ２０が接続されていないと判断し、再びＳ２０の工程へと戻る。
【００４５】
Ｓ２０の工程で、ＹＥＳと判断されれば、ＴＭＤＳデータの映像信号の解像度がＥＤＩＤ情報に含まれた解像度などと一致しているか否かを判断する（Ｓ２２）。Ｓ２２の工程でＮＯと判断されれば、ＴＭＤＳデータの映像信号がＥＤＩＤ情報に対応していないとして、後述する不具合の対策処理を実行する。すなわち、接続されたプレーヤ２０が対応する信号を出力していないとして、不具合の対策処理を行う。
【００４６】
図４は、ＡＶレシーバ１０がスタンバイ状態において、ＴＭＤＳデータの音声信号がＥＤＩＤ情報と一致していない場合を検出するための手順を示すフローチャートである。最初に、ＡＶレシーバ１０の状態がスタンバイスルー状態であるか否かを判断する（Ｓ３０）。Ｓ３０の工程でＮＯと判断されれば、ＥＮＤ処理へと進む。
【００４７】
Ｓ３０の工程でＹＥＳと判断されれば、プレーヤ２０からのＴＭＤＳデータを受信しているか否かが判断される（Ｓ３２）。Ｓ３２の工程でＮＯと判断されれば、所定の時間経過させた後、再びＳ３２へと戻る。
【００４８】
Ｓ３２の工程でＹＥＳと判断されれば、ＴＭＤＳデータの中に音声信号が含まれているか否かを判断する（Ｓ３４）。Ｓ３４の工程でＮＯと判断されれば、ＥＮＤ処理へと進む。
【００４９】
Ｓ３４の工程でＹＥＳと判断されれば、ＴＭＤＳデータの音声信号がＥＤＩＤ情報に含まれた音声信号と一致しているか否かを判断する（Ｓ３６）。Ｓ３６の工程でＮＯと判断されれば、音声信号がＥＤＩＤ情報に対応していないとして、後述する不具合の対策処理を実行する。このように、ＡＶレシーバ１０は、スタンバイスルー状態の場合には、正常なＴＭＤＳデータを受信しなければ、そのままスタンバイスルー状態を維持し、ディスプレイ装置３０に対し、信号の供給を行わない。
【００５０】
図５は、図２〜図４に示された手順によって、伝送上の不具合の対策処理を行うべきと判断された場合に最初に実行する不具合の対策処理である。最初に、ＡＶレシーバ１０は、プレーヤ２０に対し、再生停止のための指令を送信し（Ｓ４０）、タイマーを起動する（Ｓ４２）。
【００５１】
Ｓ４２の工程の後は、タイマー値が所定の閾値を超えたか否かを判断する（Ｓ４４）。タイマー値が所定の閾値を超えていない場合は、再びＳ４４へと戻る。
【００５２】
Ｓ４４の工程でＹＥＳと判断されれば、プレーヤ２０が再生を停止して所定時間を経過したはずであり、プレーヤ２０に対し、再生開始の指令を送信する（Ｓ４６）。これにより、プレーヤ２０は、メディアからの再生を再開し、ＡＶレシーバ１０へのＴＭＤＳデータの再送信を開始する。
【００５３】
このように、ＡＶレシーバ１０を備えるデータ送受信システム８によれば、ＴＭＤＳ信号が不安定な状態から変化がない場合又はＴＭＤＳデータがＥＤＩＤ情報に一致しないに、再生機能を再起動する指令を与えることでＴＭＤＳ信号を初期状態に戻って再度送信回するため、安定した状態に移行する可能性が高まる。
【００５４】
図６は、図５の処理を行った場合にもかかわらず、上記図２〜図４に示された手順によって伝送上の不具合の対策処理を行うべきと判断された場合に実行する処理である。なお、上述の処理を行わずに、この処理を行ってもよい。不具合が解消されない場合には、最初に、プレーヤ２０に対し、主電源部２４ａをオフするための指令を送信し（Ｓ５０）、タイマーを起動する（Ｓ５２）。
【００５５】
Ｓ５２の工程の後は、タイマー値が所定の閾値を超えたか否かを判断する（Ｓ５４）。タイマー値が所定の閾値を超えていない場合は、再びＳ５４へと戻る。
【００５６】
Ｓ５４の工程でＹＥＳと判断されれば、プレーヤ２０に対し、再度主電源部２４ａをオンするための指令を送信する（Ｓ５６）。これにより、プレーヤ２０が再起動し、基本的な処理がすべてやり直される。すなわち、ＨＤＣＰ認証が再度行われ、ＥＤＩＤ情報も取得し直される。
【００５７】
このように、データ送受信システム８によれば、上記再生機能の再起動が行われた場合であっても、ＴＭＤＳ信号が不安定な状態から変化がない場合又はＴＭＤＳデータがＥＤＩＤ情報に一致しないは、プレーヤ２０の電源を一旦オフとした後にオンにする、いわゆる再起動を実行させる。これによって、ＴＭＤＳ信号が安定した状態に移行したり、ＥＤＩＤ情報の読み直しにより、ＥＤＩＤ情報に一致したＴＭＤＳデータが送信される可能性がより高まる。
【００５８】
図７は、図６の処理を行った場合にもかかわらず、上記図２〜図４に示された手順によって伝送上の不具合の対策処理を行うべきと判断された場合に実行する処理である。この処理も図２〜図４の処理と関係なく実行してもよい。不具合が発生した場合に、最初に、プレーヤ２０に対して出力されるホットプラグ出力信号をＨからＬへと切り替える（Ｓ６０）。これにより、プレーヤ２０からのＴＭＤＳ信号の受信が停止される。
【００５９】
Ｓ６０の工程の後は、ＡＶレシーバ１０からディスプレイ装置３０に対し、警告表示映像信号を送信する（Ｓ６２）。これにより、ディスプレイ装置３０には、警告メッセージが表示される（Ｓ６４）。
【００６０】
Ｓ６４の工程の後は、上記警告メッセージとともに表示され、ユーザが警告内容を把握した際の意思を示す「はい」を選択したか否かを判断する（Ｓ６６）。Ｓ６６の工程において、ＮＯと判断されれば、再びＳ６６へと戻る。
【００６１】
Ｓ６６の工程において、ＹＥＳと判断されれば、プレーヤ２０に対して出力されるホットプラグ出力信号をＬからＨへと戻す（Ｓ６８）。
【００６２】
このように、データ送受信システム８によれば、上記再生機能の再起動及び電源オフ及びオンの切り替えによる再起動指令をさせたにもかかわらず状態に変化がない場合は、ディスプレイ装置３０に警告メッセージを表示させる。これにより、ユーザがプレーヤ２０の設定等を見直すことができる。そして、設定を変更し、ユーザが「はい」を選択することで、プレーヤ２０からの信号の受信を再開する。このような処理によって、上記のような状態を回避する可能性が高まる。
【００６３】
なお、本発明は上述した実施形態および変形例に限定されるものではなく、本願の特許請求の範囲に記載された事項およびその均等な範囲において種々の改良や変更が可能である。
【００６４】
例えば、伝送インターフェースとして、ＨＤＭＩ（登録商標）を例示したが、その他の伝送方式を用いてもよい。例えば、ＤＶＩ（Ｄｉｇｔａｌ  Ｖｉｓｕａｌ  Ｉｎｔｅｒｆａｃｅ）規格の伝送方式を用いてもよい。また、上記ではケーブルを用いて機器同士を接続するものとして説明したが、無線伝送方式を用いることで無線によって機器同士を接続するものとしてもよい。
【符号の説明】
【００６５】
８  データ送受信システム、１０  ＡＶレシーバ、１１，１４  コネクタ、１２  レシーバ送受信制御部、１３  接続確認用電源部、１５ａ，１５ｂ  ホットプラグライン、１６ａ，１６ｂ  ＤＤＣライン、１７ａ，１７ｂ  ＴＭＤＳライン、１８ａ，１８ｂ  接続確認電圧用ライン、２０  プレーヤ、２１  コネクタ、２２  再生部、２３  プレーヤ送信制御部、２４ａ  主電源部、２４ｂ  接続確認用電源部、２５  ホットプラグライン、２６  ＤＤＣライン、２７  ＴＭＤＳライン、２８  接続確認電圧用ライン、３０  ディスプレイ装置、３１  コネクタ、３２  ディスプレイ受信制御部、３３  表示部、３４  音声処理部、３５  ホットプラグライン、３６  ＤＤＣライン、３７  ＴＭＤＳライン、３８  接続確認電圧用ライン、３２２  出力処理部、３２４  ホットプラグＨＬ処理部。
【図１】
0006417783.tif 000002
【図２】
0006417783.tif 000003
【図３】
0006417783.tif 000004
【図４】
0006417783.tif 000005
【図５】
0006417783.tif 000006
【図６】
0006417783.tif 000007
【図７】
0006417783.tif 000008